(57)【要約】【課題】天板を囲って多数人が使用する大型テーブルにおいて、天板１の前後幅を必要最小限度に小さくしつつ、高い安定性を確保した上で、天板の外周の全体に亙って下肢収納空間を形成可能にする。【解決手段】各脚２，３，４は、使用者の足が当たらないように、天板１の内部に入り込ませている。従って、人が椅子Ｃに腰掛けて下肢を天板１の下方に入り込ませことができる下肢収納空間が、全周にわたって連続している。他方、天板１は、第１部分１ａと第２部分１ｂとが交叉した姿勢に連続したく字形の形状に形成されている。天板１の端部はエンド脚２からはみ出たオーバーハング部１６になっているため、人は、エンド脚２に邪魔されることなく天板１の端部の箇所において椅子Ｃに腰掛けて執務できる。天板１はく字形（ソックス形）であるため、天板１の前後幅をできるだけ小さくして脚２，３，４を内部に入り込ませつつ、高い安定性を確保できる。【選択図】図１
2018033686.tif 000002
【特許請求の範囲】
【請求項１】
多数人が囲んで使用できる大きさで平面視で細長い天板と、この天板を支持する脚の群とを有しており、前記脚の群は、前記天板の両端の側に配置された一対のエンド脚と、前記両エンド脚の間に配置された中間脚とから成っている構成であって、
前記各脚を前記天板の外周から内側に大きく寄せて配置することにより、人が下肢を天板の下方に入り込ませた状態で椅子に腰掛けて使用できる下肢収納空間を全周に亙って形成しており、
かつ、前記天板は、安定して自立するように平面視で屈曲した形状に形成されている、
大型テーブル。
【請求項２】
前記天板は、平面視で内角が９０度よりも大きい角度になって屈曲している、
請求項１に記載した大型テーブル。
【請求項３】
前記両エンド脚に、前記天板のうち前記エンド脚の外側にはみ出たオーバーハング部を支持するエンドブラケットが設けられている、
請求項１又は２に記載した大型テーブル。
【請求項４】
前記エンドブラケットは、下面が前記エンド脚から先端の側に向けて高くなるように傾斜した基部と、前記基部の先端に一体に設けた上下等巾のアーム部とから成っている、
請求項３に記載した大型テーブル。
【請求項５】
隣り合った脚の間が一人の人の使用エリアとなるように設定しており、各脚の上端には、前記天板を横切る方向に長い支持フレームが設けられており、前記支持フレームに天板を固定している、
請求項１〜４のうちのいずれかに記載した大型テーブル。
【発明の詳細な説明】
【技術分野】
【０００１】
本願発明は、多数人が囲んで使用できる大型テーブルに関するものである。
【背景技術】
【０００２】
多数人が使用できる大型テーブルでは、天板は一般に長方形や小判形に形成されており、棒状の脚で支持されている場合や、箱状（或いは板状）の脚で配置されている場合がある。前者の例として特許文献１があり、後者の例として特許文献２がある。特許文献２では、脚の前後幅は天板の前後幅よりも小さくなっているが、安定性を高めるために、脚の下端には前後方向に突出した支持板を設けている。
【先行技術文献】
【特許文献】
【０００３】
【特許文献１】特開２００５−１８５４６１号公報
【特許文献２】特許第５３７１２４９号公報
【発明の概要】
【発明が解決しようとする課題】
【０００４】
特許文献１では、テーブルの安定性を確保するために脚を天板の縁部に配置しているが、このように脚が天板の縁部に位置していると、使用者の足や椅子が脚に当たって使いづらいという問題がある。
【０００５】
例えば、キャスタ付きの椅子に腰掛けて、椅子に腰掛けたまま天板の外周に沿って横移動することがあるが、この場合、足や椅子が脚に当たるため、いったん後退させてから横移動せねばならず、使い勝手が悪かった。また、ミーティングなどでは、２人や３人の人が体を寄せるようにしてテーブルを使用することがあるが、この場合も、脚が邪魔になって使い勝手が悪いことがあった。
【０００６】
この点、中間脚を、天板の内側にずらして人の足に当たらないように配慮していることも多いが、天板の両端の側に配置したエンド脚は天板の端のコーナー部に配置していることが多いため、天板を端面の箇所において人が椅子に腰掛けてテーブルを使用する場合に、エンド脚に足が当たるという問題は依然として解消できていない。
【０００７】
この対策として、エンド脚も内側にずらして人の足に当たらないようにすると、テーブルの安定性が著しく悪化するという問題がある。天板の前後巾を大きくすると、安定性を確保しつつ脚を内側に寄せることができるが、天板の巾に制限が付されている場合は、この対策は採用することができない。
【０００８】
他方、特許文献２の場合は、天板の両端部は脚の外側に大きくはみ出ているので、人が天板の端面の箇所において椅子に腰掛けて使用するに当たっての問題はないと云えるが、脚の前後幅はかなり大きいため、天板の前後幅によっては、天板の長手縁の箇所において椅子に腰掛けた人の膝が脚に当たる可能性があり、これを防止するには、脚の前後幅を小さくして支持板の突出寸法を大きくせねばならず、すると、使用者の足が支持板に当たって違和感を与えたり、椅子に腰掛けたまま横移動するにおいて、椅子のキャスタが支持板に当たったりするおそれがある。
【０００９】
本願発明はこのような現状に鑑み成されたものであり、前後幅を大きくすることなく使い勝手と安定性とに優れた大型テーブルを提供せんとするものである。
【課題を解決するための手段】
【００１０】
本願発明の大型テーブルは、
多数人が囲んで使用できる大きさで平面視で細長い天板と、この天板を支持する脚の群とを有しており、前記脚の群は、前記天板の両端の側に配置された一対のエンド脚と、前記両エンド脚の間に配置された中間脚とから成っている、
という基本構成である。
【００１１】
そして、請求項１の発明では、上記基本構成において、
前記各脚を前記天板の外周から内側に大きく寄せて配置することにより、人が下肢を天板の下方に入り込ませた状態で椅子に腰掛けて使用できる下肢収納空間を全周に亙って形成しており、かつ、前記天板は、安定して自立するように平面視で屈曲した形状に形成されている。
【００１２】
本願発明は、様々に展開できる。その例として請求項２の発明では、請求項１において、前記天板は、平面視で内角が９０度よりも大きい角度になって屈曲している。
【００１３】
請求項３の発明は、請求項１又は２において、前記両エンド脚に、前記天板のうち前記エンド脚の外側にはみ出たオーバーハング部を支持するエンドブラケットが設けられている。請求項３の好適な展開例として、請求項４では、前記エンドブラケットは、下面が前記エンド脚から先端の側に向けて高くなるように傾斜した基部と、前記基部の先端に一体に設けた上下等巾のアーム部とから成っている。
【００１４】
請求項５の発明では、請求項１〜４のうちのいずれかにおいて、隣り合った脚の間が一人の人の使用エリアとなるように設定しており、各脚の上端には、前記天板を横切る方向に長い支持フレームが設けられており、前記支持フレームに天板を固定している。
【発明の効果】
【００１５】
本願発明では、天板を平面視で屈曲した形状に形成したことにより、安定性が格段に向上するため、天板の前後幅を過度に大きくすることなく、各脚を使用者の膝が当たらないように内側に大きくずらして配置できる。
【００１６】
すなわち、脚を天板のコーナー部に配置することは不要になって、天板の外周のどの部位においても、脚は、椅子に腰掛けた使用者の膝が当たらないように内側に大きく入り込ませることができるのであり、従って、天板の周りのどの部位でも、人は椅子に腰掛けたままで天板の外周に沿って脚に邪魔されることなく横移動できると共に、２人や３人の人が身体を寄せてミーティングなどを行うにおいて、使用者の膝や椅子が脚に当たることもない。これにより、快適な作業環境を提供することができる。
【００１７】
また、テーブルの不使用時には、椅子は天板の下方に深く入り込ませた状態で収納できるため、不使用時の美観も向上できる。
【００１８】
天板は、内角が９０度で外角が２７０度の平面視Ｌ形に形成することも可能であるが、人が内角部において椅子に腰掛けて使用する場合、圧迫感を感じることが懸念される。これに対して請求項２の構成を採用すると、天板の内角部が鈍角のく字形状になるため、圧迫感を解消して使用環境を良くすることができる。
【００１９】
請求項３のように、天板のオーバーハング部をエンドブラケットで支持すると、天板を過剰に厚くすることなく、オーバーハング部を安定的に支持できる利点がある。特に、請求項４の構成を採用すると、人の足がエンドブラケットに当たることを防止しつつ、エンドブラケットの長さを長くできるため、特に好適である。
【００２０】
請求項５の構成を採用すると、支持フレームの端部を視認できるように設定しておくことにより、１人の占有エリアが明瞭に区画されるため、隣り合った人との距離感を適切に保って快適な環境を実現できる。
【図面の簡単な説明】
【００２１】
【図１】実施形態を示す図で、（Ａ）は使用態様を示す平面図、（Ｂ）は（Ａ）のＢ−Ｂ正面図である。
【図２】（Ａ）は天板を仮想線で表示した平面図、（Ｂ）は（Ａ）のＢ−Ｂ視断面図である。
【図３】脚の形態を示す分離斜視図である。
【図４】端部での分離斜視図である。
【図５】変形例の平面図である。
【発明を実施するための形態】
【００２２】
(1).全体の構成
本実施形態において、図１（Ａ）のとおり、天板１は、平面視直線状の第１部分１ａと第２部分１ｂとがく字形（ソックス形）に連続した細長い形態であり、椅子Ｃの配置で示すように、内角側を４人が使用して外角側を５人が使用し、更に、両端面の箇所を１人ずつ使用するようになっている。従って、標準状態としては、全体として１１人で使用することを想定している。
【００２３】
なお、第１部分１ａと第２部分１ｂとの長さは、それぞれ任意に設定することができる。実施形態では第１部分１ａと第２部分１ｂとを異なる長さに設定しているが、両方を同じ長さに設定することも可能である。第１部分１ａと第２部分１ｂとが交叉した内角は、１００度程度になっている。
【００２４】
天板１は、その端部側に位置した一対のエンド脚２と、コーナー部に位置して平面視で対角方向に延びるコーナー部中間脚３、及び、エンド脚２とコーナー部中間脚３との間に位置した直線部中間脚４とによって支持されている。各脚２，３，４は、いずれも天板１の外周から内側に大きく入り込んでおり、これにより、人が椅子Ｃに腰掛けて下肢を天板１の下方に入り込ませることができる下肢収納空間が、天板１の全周に亙って途切れることなく形成されている。下肢収納空間には、椅子Ｃを一杯に入り込ませることができる。従って、椅子は、その背もたれを天板１の外周に沿わせた状態で、全周に亙って移動させることができる。
【００２５】
図３，４に直線部中間脚４とエンド脚２とを例示して示すように、各脚２，３，４は、鋼板製で中空板状の脚ユニット５を有しており、脚ユニット５の上部には、上向きに開口した角形の配線空間６を形成している。脚ユニット５の前後幅は天板１の幅Ｗに比べて遥かに小さい寸法であり、天板１の長手側縁から内側に大きく入り込んでいる。このため、天板１の内角側又は外角側において椅子Ｃに普通に腰掛けた人の足が脚ユニット５に当たることはない。
【００２６】
直線部中間脚４のうちコーナー部中間脚３に隣接したものは、脚ユニット５のみで構成されており、他の直線部中間脚４とエンド脚２とは、脚ユニット５の上端に支持フレーム７が固定された構造になっている。支持フレーム７は、中空状又は溝型の形態であり、直線部中間脚４とエンド脚２とにおいては、天板１を横切る方向に長く延びており、その前端と後端とは天板１の前端縁と後端縁とに近接している。従って、支持フレーム７の端部を人が視認することが可能である。支持フレーム７の端部には、樹脂製のキャップ８を装着している。
【００２７】
コーナー部中間脚３の上端にも支持フレーム７を固定しているが、コーナー部中間脚３では、支持フレーム７は脚ユニット５から外角方向にのみ延びていて、内角方向には延びていない。いずれにしても、支持フレーム７は、脚ユニット５の外側にはみ出た部分を有しており、このはみ出た部分がボルト（ビス）で天板１に固定されている。また、隣り合った支持フレーム７の間のエリアを１人の人の占有エリアとしている。
【００２８】
天板１は木製であり、第１部分１ａと第２部分１ｂとは別々に製造されていて、コーナー部において突き合わさっており、コーナー部中間脚３の支持フレーム７が、第１部分１ａと第２部分１ｂとに半分ずつ重なってボルトで固定されている。
【００２９】
なお、コーナー部中間脚３の支持フレーム７が内角側に延びていないのは、隣り合った直線部中間脚４の支持フレーム７の間隔が小さいため、敢えてコーナー部中間脚３の支持フレーム７を内角側に向かわせる必要がないこと、及び、隣り合った支持フレーム７の間を１人の占有エリアとしているためであり、コーナー部中間脚３についても支持フレーム７を内角側に延ばすことは可能である。
【００３０】
隣り合った脚ユニット５は、前後のビーム（幕板）９で連結されている。ビーム９は鋼板製で中空状に形成されており、上面が天板１の下面に重なるように設定している。ビーム９は、フック形式で脚ユニット５に連結してもよいし、ビス類で連結してもよい。
【００３１】
図２に一点鎖線で示すように、隣り合った脚ユニット５に配線受け樋１０を装着することも可能である。また、二点鎖線で示すように、物品載置用の棚１１を固定的又は着脱自在に配置することも可能である。図１（Ｂ）では、棚１１を実線で表示している。
【００３２】
天板１には、中心線に沿って配線穴１２が開口している。図２（Ａ）に示すように、配線穴１２は、着脱式のカバー１２ａで塞ぐことができる。なお、カバー１２ａは天板１の上面よりも低く配置されている。また、カバー１２ａの前後両側には、ケーブルを挿通できる細幅の溝が空いている。
【００３３】
天板１の上面のうち配線穴１２を挟んだ両側に、各使用者に対応して電源・通信パネル１３を装着している。電源・通信パネル１３には、コンセントやＬＡＮ用ＵＳＢジャックなどを設けている。電源・通信パネル１３は、天板１に堀り込んだ穴１４に装着しているが、穴１４は下方に貫通していてもよい。各脚ユニット５の下端には、前後一対ずつアジャスタ１５が取付けられている。
【００３４】
(2).端部の補強・まとめ
既述のとおり、各脚ユニット５は、天板１の内角側及び外角側のいずれにおいても使用者の足が当たらないような前後幅に設定されて、前端縁及び後端縁から内側に入り込んだ状態で配置している。また、エンド脚２の脚ユニット５は、天板１の端面箇所において椅子に腰掛けた人の足が当たらないように、天板１の端面から内側に入り込ませている。従って、天板１の両端のコーナーには脚は存在していない。
【００３５】
エンド脚２が天板１の端面から内側に大きく入り込んでいるため、天板１は、エンド脚２の外側にはみ出したオーバーハング部１６を有している。そこで、オーバーハング部１６の安定性（剛性）を確保するために、エンド脚２に、外側に突出したエンドブラケット１７を固定して、エンドブラケット１７をオーバーハング部１６にボルトで固定している。
【００３６】
エンドブラケット１７は鋼板製であり、下面板１７ａとその前後に連接された側板１７ｂ、及び、エンド脚２の外面に重なる背板１７ｃを有しており、背板１７ｃがボルト（及びナット）でエンド脚２に固定されている。側板１７ｂの上端には外向きフランジ１７ｄを曲げ形成しており、このフランジ１７ｄがオーバーハング部１６にボルトで固定されている。
【００３７】
エンドブラケット１７の下面板１７ａは、エンド脚２から離れるに従って高さが高くなってから、オーバーハング部１６の近くで水平姿勢に転じている。このため、エンドブラケット１７は、下面を傾斜させた基部１７ｅと、基部１７ｅの先端に一体に設けた上下等巾のアーム部１７ｆとから成っている。
【００３８】
エンドブラケット１７は、基部１７ｅが側面視三角形になっているため、高い剛性を発揮して、オーバーハング部１６を曲がり難い状態に安定的に支持できる。また、先端側の相当範囲は上下幅が小さいアーム部１７ｆになっているため、天板１の端面の箇所において椅子に腰掛けた人の足（大腿部、膝）がエンドブラケット１７に当たることを防止できる。従って、使用者に不快な思いをさせることなく、天板１のオーバーハング部１６をしっかりと支持できる。
【００３９】
通常の１人用デスクの前後幅は７００ｍｍ程度が多い。そこで、天板１を両面使いとしている本実施形態では、天板１の前後幅を１４００ｍｍ程度に設定することにより、向かい合った人が互いに違和感なく執務を行うことができる。また、図２（Ｂ）に示すように、ワゴン１８を任意の位置に横移動させることもできる。この場合、身体を天板１に一杯に寄せた状態でも足が脚ユニット５に当たらないように設定すると、脚ユニット５の前後幅は４００ｍｍ程度まで落さざるを得ない。すると、天板１が単なる長方形や小判形であると、安定性が著しく悪化して実用的ではない。
【００４０】
これに対して、本実施形態のように天板１を屈曲した形状に形成すると、仮に天板１がひっくり返る場合の回動支点は、図１（Ａ）に一点鎖線に示すように両端の脚ユニット５を結ぶ線になるため、安定性は格段に高くなって、実用的には全く問題はない。く字状の形状を１つのパターンとして、複数のパターンを連続させて図５（Ａ）（Ｂ）に例示するように複数の屈曲部を有する形状を形成することも可能であり、これらの形態では、安定性は一層向上する（ジグザグ状に形成することも可能である。）。
【００４１】
上記の実施形態では天板１をく字状に形成したが、Ｌ形やＴ形に形成することも可能である。また、各脚は、前後の棒状足を横桟で連結した態様とすることも可能である。脚の下端に、天板１を横切る方向に突出した安定部を設けることも可能である。実施形態のようにコーナー部中間脚３を設けると、安定性を一層向上できる。
【産業上の利用可能性】
【００４２】
本願発明は、実際にテーブルに具体化できる。従って、産業上利用できる。
【符号の説明】
【００４３】
１  天板
１ａ  第１部分
１ｂ  第２部分                                                                  ２  エンド脚
３  コーナー部中間脚
４  直線部中間脚
５  脚ユニット
７  支持フレーム
９  ビーム
１２  配線穴
１６  オーバーハング部
１７  エンドブラケット
１７ｅ  基部
１７ｆ  アーム部
【図１】
2018033686.tif 000003
【図２】
2018033686.tif 000004
【図３】
2018033686.tif 000005
【図４】
2018033686.tif 000006
【図５】
2018033686.tif 000007